Podtech/llm-jp-corpus-v4-ja_patent huggingface dataset:
(57)【要約】【課題】  保温材をふすまとポリプロピレンで構成することにより、効果的な保冷効果を得ることができると共に、厚みが３ｍｍ以下でも有効性があり、複雑な加工（袋状）も可能であり、多目的に使用できる寒冷地用品質シートを提供する。【解決手段】  保温材の上面及び下面にアルミフィルムを設けると共に、その上面及び下面に帆布を設けてなる寒冷地用品質シートであって、保温材がふすまとポリプロピレンとの混合物であることを特徴とする。【選択図】  図１
2005111967.tif 000002
【特許請求の範囲】
【請求項１】
保温材の上面及び下面にアルミフィルムを設けると共に、その上面及び下面に帆布を設けてなる寒冷地用品質シートであって、保温材がふすまとポリプロピレンとの混合物であることを特徴とする寒冷地用品質シート。
【請求項２】
ふすまとポリプロピレンが、重量比で４対６であることを特徴とする請求項１記載の寒冷地用品質シート。
【請求項３】
保温材の厚みが３ｍｍ以下であることを特徴とする請求項１又は２記載の寒冷地用品質シート。
【請求項４】
保温材が、ふすまとポリプロピレンを水発泡させてなることを特徴とする請求項１、２又は３記載の寒冷地用品質シート。
【請求項５】
帆布が、ナイロン帆布であることを特徴とする請求項１、２、３又は４記載の寒冷地用品質シート。
【発明の詳細な説明】
【技術分野】
【０００１】  本発明は、主にビール等の飲料を適温に保温して運搬する場合に使用する寒冷地用品質シートに関するものである。
【背景技術】
【０００２】  従来の技術として、保温や保冷のものが多々開示されているが、例えば、片面金属蒸着合成樹脂フィルムを片面アルミニウム蒸着ポリエステルフィルム、合成樹脂シートをポリエチレンシートとしたことを特徴とする保冷カバーが開示されている。（特許文献１参照）【０００３】
【特許文献１】  特開平８−１５４７８７号公報（請求項４）
【発明の開示】
【発明が解決しようとする課題】
【０００４】  上記のような形態のものは、アルミニューム、ポリエステル、ポリエチレン等による保冷カバーであり、他に発泡ウレタン材を使用した形態のものも多く市場に出回っている。
しかしながら、データ的（保温データ）に、すぐれたものが少なく、厚みを厚くして対応しているのが現状である。【０００５】  本発明は、上記の問題点に鑑みなされたもので、保温材をふすまとポリプロピレンで構成することにより、効果的な保冷効果を得ることができると共に、厚みが３ｍｍ以下でも有効性があり、複雑な加工（袋状）も可能であり、多目的に使用できる寒冷地用品質シートを提供するものである。
【課題を解決するための手段】
【０００６】  課題を解決するための手段として、保温材の上面及び下面にアルミフィルムを設けると共に、その上面及び下面に帆布を設けてなる寒冷地用品質シートであって、保温材がふすまとポリプロピレンとの混合物であること。また、ふすまとポリプロピレンが、重量比で４対６であること。さらに、保温材の厚みが３ｍｍ以下であること。さらにまた、保温材が、ふすまとポリプロピレンを水発泡させてなること。その上、帆布が、ナイロン帆布であることを特徴とする。
【発明の効果】
【０００７】１）、ふすまとポリプロピレンによる保温材の上下にアルミフィルム及びナイロン帆布等を設ける構造により、従来品と比較し、保冷効果がすぐれてなる効果を有する。
２）、ふすまとポリプロピレンを、重量比で４対６に構成することにより、コスト的、効果的にもバランスの良い結果となった。
３）、保温材の厚みが３ｍｍ以下においても、有効な結果が得られ、薄いため加工しやすく、嵩張らず、軽量で、多目的に使用できる効果がある。
４）、ビール樽の保温材として、凍結防止用に効果を有し、冬場に特に必要とされるものである。
【発明を実施するための最良の形態】
【実施例】
【０００８】  寒冷地用品質シート１は、ふすまとポリプロピレンとの混合物による保温材２の上面及び下面にアルミフィルム３を設けると共に、その上面及び下面にナイロン帆布４を設けてなるものである。
なお、ふすまとポリプロピレンの重量比を４対６とするのが望ましい。
また、保温材２の厚みを３ｍｍとするのが望ましい。
さらに、保温材２は水発泡（ふすまとポリプロピレンを水で混合し、熱を加えて発泡させるもの）させてなるものである。【０００９】  上記寒冷地用品質シート１及び比較として厚さ４ｍｍの発泡ウレタンによる断熱材の上下面にナイロン布を設けてなるウレタンシートＵの保温試験を行った。【００１０】  まず、試験装置ＳＳとして、下面に断熱材Ｄを設置し、その上面に１０℃に温度設定したビール樽Ｂを置き、ビール樽Ｂの側面に温度センサＳを設け、温度計Ｏにて表示するもので、ビール樽Ｂの外周に寒冷地用品質シート１とウレタンシートＵを設け、別々に試験する。【００１１】  初期条件として、外気温度Ｇを−１５℃とし、ビール樽Ｂの温度を１０℃とし、１時間後から１５時間後までのビール樽Ｂの温度を測定した。【００１２】  まず、ビール樽Ｂのみの場合は、１時間３０分で０℃以下となった。
また、ウレタンシートＵの場合は、１０時間後において０℃以下となった。
寒冷地用品質シート１においては、１４時間後において０℃となり、保温効果が非常に大きいことがわかった。【００１３】  また、保温材２の厚みが３ｍｍ以下でも効果があり、ビール樽Ｂの外周を保持する専用袋の加工も簡単にできる。
さらに、トラック用の幌として加工しても有効であり、他の飲料水や食品にも使用できる。
【図面の簡単な説明】
【００１４】
【図１】  本発明の寒冷地用品質シートの一実施例を示す縦断正面図。
【図２】  本発明の寒冷地用品質シートの試験方法を示す一部縦断正面図。
【符号の説明】
【００１５】１−−−寒冷地用品質シート
２−−−保温材
３−−−アルミフィルム
４−−−ナイロン帆布
【図１】
2005111967.tif 000003
【図２】
2005111967.tif 000004
(57)【要約】【課題】  単体としてのクリヤーホルダー本来の機能を有しつつバインダーで多量の書類をもファイルでき、しかもファイリングしたままでも、書類を楽に出し入れ可能なファイル用クリヤーホルダーを提供する。【解決の手段】  従来のクリヤーホルダー（図２）の横開口部（１）上下二枚のシートの一枚に持ち出し部分（２）を設け、そこにバインダー用の穴（３）をあけたファイル用クリヤーホルダー。【選択図】  図１
2005111961.tif 000002
【特許請求の範囲】
【請求項１】
従来のクリヤーホルダー（図２）の横開口部（１）上下二枚のシートの一枚に、持ち出し部分（２）を設け、そこにバインダー用の穴（３）をあけたファイル用クリヤーホルダー。
【発明の詳細な説明】
【発明の詳細な説明】
【発明に属する技術分野】
【０００１】  本発明は、クリヤーホルダーとしても使え、又、バインダー用の穴をあけることで図２のようにクリヤーホルダーファイルとして、書類を多量に整理、分類でき、ファイリングした状態でも従来のクリヤーポケットと違い楽に出し入れ出来るファイル用クリヤーホルダーであり、事務用具に関するものである。
【背景技術】
【０００２】  従来のクリヤーホルダー（図２）は、バインダーでファイルすることは出来なかった。又、クリヤーポケットは、クリヤーホルダーの様に単体では使いにくい上、出し入れが大変だった。
【発明が解決しようとする課題】
【０００３】  従来のクリヤーホルダー（図２）は、バインダーでファイルすることは出来なかった。又、従来のクリヤーポケットは、クリヤーホルダーの機能はなく、また開口部は上からのみの為、出し入れが大変だった。
そこで、従来のクリヤーホルダー（図２）の横開口部（１）上下二枚のシートの一枚に持ち出し部分（２）を設け、バインダー用の穴（３）をあけることにより、従来のクリヤーホルダーの機能を持ちながら、図４のように多量の書類のファイリングを可能にし、出し入れも楽なファイル用クリヤーホルダーを提供することを目的とする。
【課題を解決するための手段】
【０００４】  上記の目的を達成するため、従来のクリヤーホルダー（図２）の横開口部（１）の二枚のシートの一枚に持ち出し部分（２）を設け、バインダー用の穴（３）をあけたものである。そうすることで、従来のクリヤーホルダー（図２）の機能を持ちながら、図４のようにバインダーによる多量のファイリングを可能にしただけでなく、開口部が２方向からなので、従来のポケットタイプよりも出し入れが容易である。
【発明を実施するための最良の形態】
【０００５】  発明の実施形態を図面について説明する。
図１は、従来のクリヤーホルダー（図２）の横開口部（１）上下二枚のシートの一枚に持ち出し部分（２）を設け、そこにバインダー用の穴（３）をあけたファイル用クリヤーホルダーであるが、これを展開すると、図３のようなシートになる。
このような型のシートを、折り線（４）のところで半分に折り、シートの下端（５）を圧着すればファイル用クリヤーホルダーになる。【０００６】  図１で示される実施例では、このファイル用クリヤーホルダーのシートは厚いので、クリヤーホルダーとしての本来の機能を有する。
だが、従来のポケットタイプのものは、シートが薄いので単体としての機能を発揮する事は難しい。【０００７】  図４で示される実施例では、クリヤーホルダーファイルとして多量に整理、分類が出来、取り外してクリヤーホルダーの機能もするし継ぎ足す事も出来る。
又、このファイル用クリヤーホルダーは、従来のポケットタイプが上開口部のみの出し入れなのと違い、２方向があいているだけでなく、シートも厚くファイルした状態でも楽に出し入れすることが出来る。
【発明の効果】
【０００８】  本発明は、以上説明したようなもので下記のような効果がある。このファイル用クリヤーホルダーは、クリヤーホルダーとして本来の機能も有し、図４のように書類を多量に整理、分類もでき、しかも、ファイリングしたままでも従来のクリヤーポケットタイプと違い、書類を楽に出し入れすることが出来る。
【図面の簡単な説明】
【０００９】
【図１】ファイル用クリヤーホルダーの斜視図
【図２】従来のクリヤーホルダーの斜視図
【図３】シートの平面図
【図４】ファイル用クリヤーホルダーをファイリングした時の正面図
【符号の説明】
【００１０】１、横開口部
２、持ち出し部分
３、バインダー用の穴
４、折り線
５、下端
６、ファイル用クリヤーホルダー
７、ファイル
【図１】
2005111961.tif 000003
【図２】
2005111961.tif 000004
【図３】
2005111961.tif 000005
【図４】
2005111961.tif 000006
(57)【要約】【課題】  本発明は、ねじ式として歩留まりの良い加工ができ、組立も比較的簡単にでき且回転操作という簡単な作業により伸縮動作のできるるねじ式伸縮ボールペンを提供しようとするものである。【解決手段】  先端に口金を着脱自在とした胴部と、胴部の内側と、対応する外側に設けた駆動ネジ部にて前後スライド自在に内装したスライド軸筒と、芯先が口金の先端より出没自在なボールペンリフィルを着脱自在とし、前記駆動ネジ部のピッチより大きくして回転当たりの前後動距離を大きく設定したスライド軸筒の内側と、対応する外側に設けた従動ネジ部にてスライド軸筒に前後動自在とした芯タンクと、スライド軸筒の後端に前記胴部の接続部を回転しながらスライドするサヤと天冠とを設けてあり、サヤと胴部の回転により両者の間隔を伸縮させると同時に芯タンクのボールペンリフィルの芯先を口金より出没自在とした伸縮ボールペンである。【選択図】  図１
2005111742.tif 000002
【特許請求の範囲】
【請求項１】
先端に口金を着脱自在とした胴部と、胴部の内側と、対応する外側に設けた駆動ネジ部にて前後スライド自在に内装したスライド軸筒と、芯先が口金の先端より出没自在なボールペンリフィルを着脱自在とし、前記駆動ネジ部のピッチより大きくして回転当たりの前後動距離を大きく設定したスライド軸筒の内側と、対応する外側に設けた従動ネジ部にてスライド軸筒に前後動自在とした芯タンクと、スライド軸筒の後端に前記胴部の接続部を回転しながらスライドするサヤと天冠とを設けてあり、サヤと胴部の回転により両者の間隔を伸縮させると同時に芯タンクのボールペンリフィルの芯先を口金より出没自在とした伸縮ボールペン。
【発明の詳細な説明】
【技術分野】
【０００１】
本発明は伸縮式のボールペンに関する。
【背景技術】
【０００２】
従来の伸縮式のボールペンは、不使用時には前軸部と後軸部の間隔の前後の縮小操作によって押し杆を摺動先金に衝当させ、これによって摺動先金をボールペンリフィルの芯先隠蔽位置まで突出させ、又使用時には前軸部と後軸部の間隔の前後の伸張作動によって押し杆と摺動先金の衝当を解いて摺動先金をボールペンリフィルの芯先を露出する位置まで引っ込ませるようにしていた。
【０００３】
然しながらこの伸縮式ボールペンにあっては高度の加工精度が要求され、歩留まりが悪く、又組立作業も複雑でコスト高となる恐れがあった。
【発明の開示】
【発明が解決しようとする課題】
【０００４】
そこで本発明は、ねじ式として歩留まりの良い加工ができ、組立も比較的簡単にでき且回転操作という簡単な作業により伸縮動作のできるるねじ式伸縮ボールペンを提供しようとするものである。
【課題を解決するための手段】
【０００５】
先端に口金を着脱自在とした胴部と、胴部の内側と、対応する外側に設けた駆動ネジ部にて前後スライド自在に内装したスライド軸筒と、芯先が口金の先端より出没自在なボールペンリフィルを着脱自在とし、前記駆動ネジ部のピッチより大きくして回転当たりの前後動距離を大きく設定したスライド軸筒の内側と、対応する外側に設けた従動ネジ部にてスライド軸筒に前後動自在とした芯タンクと、スライド軸筒の後端に前記胴部の接続部を回転しながらスライドするサヤと天冠とを設けてあり、サヤと胴部の回転により両者の間隔を伸縮させると同時に芯タンクのボールペンリフィルの芯先を口金より出没自在としたものである。
【０００６】
本発明の効果として、ねじ式として歩留まりの良い加工ができ、組立も比較的簡単にでき、且回転操作という簡単な作業により伸縮動作ができ、筆記作業ができる。
【発明を実施する為の最良の形態】
【０００７】
先端に口金１を着脱自在とした胴部２と、胴部２の内側と、後述のスライド軸筒３の対応する外側に設けた駆動ネジ部４にて前後スライド自在に胴部２に内装したスライド軸筒３と、芯先５’が口金１の先端より出没自在なボールペンリフィル５を着脱自在とし、前記駆動ネジ部４のピッチより大きいピッチとして回転当たりの前後動距離を大きく設定したスライド軸筒３内側と、後述の芯タンク６の対応する外側に設けた従動ネジ部７にてスライド軸筒３に前後動自在とした芯タンク７と、スライド軸筒３の後端に前記胴部２の接続部８を回転しながらスライドするサヤ９と天冠１０とを設けており、サヤ９と胴部２の回転により両者の間隔を伸縮させると同時に芯タンク６のボールペンリフィル５の芯先５’を口金１より出没自在としてある。
【実施例１】
【０００８】
前記駆動ネジ部４と従動ネジ部７のピッチは約１：１．４の割合としてあり、図１の縮小状態で胴部２とサヤ９の回転操作をすることにより、図２のように両者の間隔が離れて伸張した状態になる。
【０００９】
駆動ネジ部４の雌ねじ１１の始端と終端は、僅かな盛り上がりとなっている平坦なロック部１２、１２’となっており、また雌ネジ１１に対応する雄ネジ１３としては突起１４が設けてあって縮小時には始端のロック部１２、１２’に、伸張時には突起１４が終端のロック部に１２’侵入し、縮小時、伸張時の状態を安定させ、不用意に伸縮動しないようにしてある。
【００１０】
芯タンク６と胴部２は突条１５と溝１６に冠合していて前後にのみ移動するようにしてある。
【００１１】
１７はストッパーで伸張時にリング１８が衝当して伸張動作が止まり、その時に突起１４がロック部１２’に嵌合し不用意な伸縮動がしないようになる。
【００１２】
１９は止めビスでスライド軸筒３の後端に固定され、サヤ９、天冠１０を締着する様になっている。
【００１３】
本発明は以上のように構成されるもので、構造上の主要部である胴部２、スライド軸筒３、芯タンク６は全て筒状態で、かつこれらの外側、内側の一部あるいは全部はねじ加工を施すのみの簡単な作業でできるので歩留まりがよく、また組立作業も簡単である。
【図面の簡単な説明】
【００１４】
【図１】本発明に係るねじ式伸縮ボールペンの縮小時の断面説明図
【図２】同伸張時の断面説明図
【図３】胴部の分解断面説明図
【図４】スライド軸筒の分解正面図
【図５】同断面説明図
【図６】芯タンクの分解正面図
【図７】同断面説明図
【符号の説明】
【００１５】
１：口金
２：胴部
３：スライド軸筒
４：駆動ネジ部
５：ボールペンリフィル
６：芯タンク
７：従動ネジ部
８：接続部
９：サヤ
１０：天冠
１１：雌ネジ
１２、１２’：ロック部
１３：雄ネジ
１４：突起
１５：突条
１６：溝
１７：ストッパー
１８：リング
１９：止めビス
【図１】
2005111742.tif 000003
【図２】
2005111742.tif 000004
【図３】
2005111742.tif 000005
【図４】
2005111742.tif 000006
【図５】
2005111742.tif 000007
【図６】
2005111742.tif 000008
【図７】
2005111742.tif 000009
(57)【要約】【課題】トイレのロールペーパー等、体の向きを変えることなく片手で必要に応じた長さに切断できるロールペーパーホルダーを提供する。【解決手段】ロールペーパーを上蓋に設けた溝、又は孔を通して（図２）上面に貫通させ、必要に応じた長さを引き出し切断時下方に引く。切断時下方に引く事により上蓋に下方向の負荷がかかり、ロールペーパーと上蓋の摩擦抵抗でロールペーパーの回転を止め固定された状態で切断できるようにする。又ペーパー引出し時端部を掴みやすいよう、６ペーパー跳ね上げ用バネを設ける。６ペーパー跳ね上げ用バネの強度は切断時はカッター刃面より下がり切断後は刃面より上がるよう適度の強度をもたせる。【選択図】図２
2005111286.tif 000002
【特許請求の範囲】
【請求項１】
ロールペーパーを上蓋に設けた溝又は孔を通して上面に引き出し切断する事を特徴とする溝又は孔付き上蓋。
【請求項２】
ロールペーパーを上蓋に設けた溝又は孔を通して上面に引き出し先端部に設けたカッターで切断する事を特徴とするカッター付き上蓋。
【請求項３】
ロールペーパーを上蓋に設けた溝又は孔を通して上面に引き出し先端部カッターで切断後カッター側に残ったロールペーパーを跳ね上げ取り易くするバネを付けた事を特徴とする上蓋。
【発明の詳細な説明】
【技術分野】
【０００１】本発明は、トイレ等のロールペーパーを片手で切断出来るようにしたものである。
【背景技術】
【０００２】従来のロールペーパーホルダーはロールペーパーを片手で切断出来なかった。
【発明の開示】
【発明が解決しようとする課題】
【０００３】トイレ等，従来のロールペーパーホルダーは、ホルダー側へ体の向きを変え片手で上蓋を押えもう片方の手でペーパーを引きちぎるか、あるいは両方の手でペーパーを引きちぎるしかなかった。又，ミシン目の入ったロールペーパーもあるが用途に合った長さに切断出来ない。本発明は、この課題を解消するためになされたものである。
【課題を解決するための手段】
【０００４】ロールペーパーを上蓋に設けた溝又は，孔を通して（図２）上面に貫通させ、使用する長さで先端部に設けたカッターに当て下方向へ引く。この時、引く事により上蓋に下方向の負荷をかけ、ロールペーパーと上蓋の摩擦抵抗でロールペーパーの回転を止めるようにする。又，切断後波状カッターに付いたペーパーを取りやすいようバネで持ち上げるようにする。
【発明の効果】
【０００５】体の向きをかえることなく片手で切断出来る。又，ミシン目の入ったロールペーパーもその時の使用量に合った長さで切断出来、経済的である。
【図面の簡単な説明】
【０００６】
【図１】本発明の全体斜視図である。
【図２】本発明の使用状態を示す断面図である。
【図３】本発明の上蓋斜視図である。
【符号の説明】
【０００７】１  ロールペーパー貫通溝
２  上蓋
３  波状カッター
４  ロールペーパーホルダー本体
５  ロールペーパー
６  ペーパー跳ね上げ用バネ
【図１】
2005111286.tif 000003
【図２】
2005111286.tif 000004
【図３】
2005111286.tif 000005
(57)【要約】【課題】スリッパカバーを簡易な方法でスリッパにとりつけ、またずれにくくしそしてスリッパと足を直接触れないようにする。【解決手段】スリッパカバーの１の部分にベロをつける。スリッパカバー２のかかと部分を袋状にする。スリッパカバー３の足先部分はスリッパのなかにいれる。２のベロは３をスリッパのなかにいれたあと外側におる。【選択図】図１
2005111231.tif 000002
【特許請求の範囲】
【請求項１】
１の部分のように折り曲げたベロをもつスリッパカバー
【請求項２】
２のかかと部分に袋をつけることによりずれなくしたスリッパカバー
【請求項３】
３の足先部分がスリッパ内部をおおうように設計したスリッパカバー
【発明の詳細な説明】
【発明の詳細な説明】
【発明の開示】
【発明が解決しようとする課題】
【０００１】従来のスリッパカバーはスリッパを飾ることに重点がおかれたためスリッパと足が直接触れるところがでていた。特に不特定多数の人が使う公共の場所のスリッパは不潔であるにもかかわらずスリッパカバーがついていなかったり、ついていてもスリッパに直接足に触れない構造のスリッパカバーはなかった。またスリッパカバーのつけはずしにも時間がかかっていたことも公共の場所でのスリッパカバーの普及がすすまない原因であった。
【課題を解決するための手段】
【０００２】本考案のスリッパカバーは足の甲にあたる部分にベロをつけ、スリッパにスリッパカバーをつけたのちベロを外側に折ることにより、また足のかかとにあたる部分を袋状にしてスリッパのかかと部分を差し込むことによりスリッパカバーのずれをなくした。また不特定多数の人が使うスリッパを想定しているのでスリッパカバーがスリッパ内部をおおうように設計されていてスリッパと足が直接触れないようになっている。
【発明の効果】
【０００３】スリッパカバーのベロを折り曲げまたスリッパのかかと部分をスリッパカバーのかかと部分の袋にいれることによりはずれにくくなり、またスリッパと足が直接足にあたらない。また、特に不特定多数の人がスリッパを使う場所、例えばホテル、旅館などを想定しているのでとてもスリッパカバーをつけやすく工夫している。スリッパカバーをスリッパに差し込みスリッパカバーのベロを外側に折り曲げるだけである。洗濯できる布タイプや使い捨ての紙、不織布タイプなどを使用することにより、その場所の清潔感が増すものと考えられる。
【発明の形態】
【０００４】本考案は容易にスリッパに取り付けることができまた外れにくくそして直接人の足がスリッパに触れないスリッパカバーである。それを図面によって説明すれば足の甲にあたる部分１にベロをつけ足のかかとにあたる部分２に袋状にしたものである。また３の足先部分はスリッパの中に入れることによりスリッパと足が直接あたらない。
【図面の簡単な説明】
【０００５】
【図１】ワンタッチスリッパカバーの斜視図である。
【符号の説明】
【０００６】１ベロ
２かかと
３足先
【図１】
2005111231.tif 000003
(57)【要約】【課題】布団乾燥機を併用し、布団の内側と外側を同時に乾燥させ、布団の乾燥とダニ退治を効果的にする機能をもたせた布団乾燥機を併用する乾燥袋を提供する。【解決手段】  布団乾燥機を併用し、布団乾燥機の熱風送り込み口に布団乾燥機の付属袋と乾燥袋に同時に熱風を送り込む物（２）を取りつけて、下側の布団と乾燥袋の底面の間の通気性をよくする物（３）は乾燥袋の材質により設置しても、設置しなくてもよい状態で使用する布団乾燥機を併用する乾燥袋であることを特徴とする。【選択図】    図２
2005111234.tif 000002
【特許請求の範囲】
【請求項１】
布団乾燥機を併用し、布団乾燥機の熱風送り込み口に布団乾燥機の付属袋と乾燥袋に同時に熱風を送り込む物（２）を取りつけて、下側の布団と乾燥袋の底面の間の通気性をよくする物（３）は乾燥袋の材質により設置しても、設置しなくてもよい状態で使用する布団乾燥機を併用する乾燥袋。
【発明の詳細な説明】
【発明の詳細な説明】
【技術分野】
【０００１】    この発明は、布団乾燥機を併用し、布団の内側と外側を同時に乾燥させ、布団の乾燥とダニ退治を効果的にする機能を持たせた布団乾燥機を併用する乾燥袋に関するものである。
【背景技術】
【０００２】従来、布団乾燥機は布団と布団の間に熱風を取り込む付属の袋を使っていた。
また、大型乾燥袋は布団乾燥機の熱風を直接取り込んでいた。
【発明が解決しようとする課題】
【０００３】そのために次のような欠点があった。
（イ）  布団乾燥機は布団の内側を主に乾燥させていた。布団の内側のダニは外側へ逃げるためダニ退治には、効果がなかった。
（ロ）  大型乾燥袋は複数の布団を乾燥しようとすると各々の布団の内側が接触しているので、この部分に熱風がいきわたらないので、乾燥しにくいため乾燥時間がかかるし、この部分にダニが逃げ込むので、ダニ退治の効果がない。
（ハ）  大型乾燥袋は布団の下側と乾燥袋の底面が接触しているため、この間に熱風が行き渡らない。
本発明は、これらの欠点を解決するためになされたものである。
【課題を解決するための手段】
【０００４】布団乾燥機を併用し、布団乾燥機の熱風送り込み口に布団乾燥機の付属袋と乾燥袋に同時に熱風を送り込む物（２）を取りつけて乾燥袋の材質により下側の布団と乾燥袋の底面の間の通気性をよくする物（３）は設置しても設置しなくてもよい状態で使用する。本発明は以上の構成から成る布団乾燥機を併用する乾燥袋である。
【発明の実地形態】
【０００５】以下、本発明の実地形態について説明する。
通気性をよくする物を設置する場合は以下のように使用する。
（イ）  乾燥袋（１）の中に通気性をよくする物（３）を置く。
（ロ）  その上に下側の布団（４）を敷く。
（ハ）  布団乾燥機の熱風送り込み口（７）に乾燥機の付属袋（５）と乾燥袋（８）に同時に熱風を送り込む物（２）を取りつける。
（ニ）  下側の布団（４）の上に乾燥機の付属袋（５）を広げる。
（ホ）  その上に上側の布団（６）を掛ける。
（ヘ）  乾燥袋（１）を閉じる。
（ト）  乾燥機（８）の電源を入れる。
つまり、従来の布団乾燥機を使う状態、１組の布団の間に布団乾燥機の付属袋を使った状態を布団乾燥機の熱風送り込み口に布団乾燥機の付属袋と乾燥袋に同時に熱風を送り込む物を取りつけて、下側の布団と乾燥袋の底面の間の通気性をよくする物を使用し、乾燥袋の中にすべて入れ込んで使います。
乾燥袋の材質に発熱性繊維を使った場合は、下側の布団と乾燥袋の底面の間の通気性をよくする物を使用しないので以下のように使用する。
（イ）  乾燥袋（１）の中に下側の布団（４）を敷く。
（ロ）  布団乾燥機の熱風送り込み口（７）に乾燥機の付属袋（５）と乾燥袋（８）に同時に熱風を送り込む物（２）を取りつける．
（ニ）  上側の布団（６）を掛ける。
（ホ）  乾燥袋（１）を閉じる。
（ヘ）  乾燥機（８）の電源を入れる。
下側の布団と乾燥袋の底面の間の通気性をよくする物の形態は、すのこ状やすのこ状の物を巻いて小さく収納する方式、ネット状の物、伸縮式、分割型、折りたたみ式などの形態がある。
【発明の効果】
【０００６】乾燥機の付属袋と乾燥袋に同時に熱風を送り込むことができるので布団の内側と外側を同時に乾燥させることができる。また、今まで外側に逃げていたダニも退治することができる。通気性をよくする物を設置して使用する場合は下側の布団の底面に空間ができるので、この部分にも熱風がいきわたり乾燥効果が増し、この部分のダニ退治の威力が増す。又、布団の他衣類、ぬいぐるみ、座布団など、乾燥したい物，ダニ退治したい物をこの乾燥袋に入れて使用すれば、従来の使用方法の時よりも、効果的に乾燥、ダニ退治ができる。
花粉が空中に飛散する時期に外に布団や衣類を干すことができない人や昼間に外に布団などを干せない人や布団を干す場所を確保できない人には、自分の都合のよい時に布団などを乾燥させダニ退治ができる便利な品物である。
【図面の簡単な説明】
【図１】本発明の要部断面図  通気性をよくする物を使用した場合
【図２】本発明の要部断面図  通気性をよくする物を使用しない場合
【図３】従来の布団乾燥機の使用説明図
【図４】本発明の正面図
【図５】本発明の斜視図
【符号の説明】
（１）  乾燥袋
（２）  乾燥機の付属袋と乾燥袋に同時に熱風を送り込む物
（３）  通気性をよくする物
（４）  下側の布団
（５）  乾燥機の付属袋
（６）  上側の布団
（７）  乾燥機の熱風送り込み口
（８）  布団乾燥機
【図１】
2005111234.tif 000003
【図２】
2005111234.tif 000004
【図３】
2005111234.tif 000005
【図４】
2005111234.tif 000006
【図５】
2005111234.tif 000007
(57)【要約】      （修正有）【課題】巨大宇宙バスの提供。【解決手段】着陸にはソフトランディング可能なホーバークラフトような構造とし、上昇にはヘリコプターの原理を用いると共に高度２０，０００〜３０，０００ｍ位においてはコンコルドの技術を用いて上昇・移動可能とし、機体は２，０００人乗れる巨大ボディからなる巨大宇宙バスの創作。【選択図】なし【特許請求の範囲】
【発明の詳細な説明】
発明の効果
ユビキタス、ナノテク、技術及び次世代の生まれて来る新技術を駆使して、巨大な機体（バス）により、大量の人類の夢である宇宙旅行に近い、高度２０，０００ｍ〜３０，０００ｍ位を飛行出来る物体（以下物体と記す）を創作する。
▲１▼▲イ▼物体の下の部分には、ホーバークラフトの柔かい、着陸に適したものを使う。
（ホーバークラフトとは限定しない、別にソフトランディング出来る技術も含めます。）
▲ロ▼上昇には、ヘリコプターの原理を使う、これも新技術で、上昇させる物が出来ればそれも含む。
▲ハ▼上昇が２００００ｍ〜３００００ｍになると、コンコルドにあった技術で時速２，０００ｋｍ／時以上のスピードで移動する。
▲ニ▼着地の時は（ロ）の反対で、ソフトランディングが地球に戻った時に出来る
▲ホ▼巨大ボティで２，０００人を一度に乗れる物体を創作する
▲ヘ▼ＮＡＳＡ（米國）の持っている技術も利用し、共同企画もある。
▲ト▼人類の夢である小宇宙の旅を実現出来る、大量・超高速・移動をこれにより、楽しいものと出来れば、考え、実現に活動して行く。
【手続補正書】
【提出日】平成16年2月6日(2004.2.6)
【手続補正１】
【補正対象書類名】特許請求の範囲
【補正対象項目名】全文
【補正方法】変更
【補正の内容】
【特許請求の範囲】
【請求項１】
大規模ハイテク、ラグビー、他の多目的ドームグランド及びそのアクセス
イ  現在考えているポジションは千葉県東金市内
ロ  ドームグラントの収容人数は２０万人以上
ハ  ラグビーワールドカップ開催を目標にする（２０１１年の開催誘致運動の開始）
ニ  多目的はサッカー、アメリカンフットボール、バスケット、他の球技スポーツの世界一を誘致出来る殿堂、娯楽、ホテル、ショッピングセンターその他様々の施設の整ったものにする
ホ  球場の両側から、５本の５００階ビルを建設し、各棟をつなぐブリッジを各階につけ、耐震性をよくし、地球楽園を創設する。
ト  球場迄のアクセスはリニアカーで、日本の拠点（東京・大阪）とを結び、各航空会社とＪＲの共同で利便性をよくする
チ  この施設には太陽光発電の設置により、原発の縮小を目したソーラー発電板を大量に設備、電力の利益又、宣伝による収入を得る様にして、建設のコストダウンを計る。
リ  ５００階建築５棟により、首都機能の移転、官公庁の収容、その関係先も一ヶ所に集める事により、行政のコストダウンにも寄与する。
ヌ  この高層ビル建設により、他の地域にも、建設するものとし、日本の観光立國の使命を充分にはたし、２００５年以后の来訪（来日）外國人５０００万人〜１億人の引き金にするべく、すべての配慮のある天國プランとする。
ル  来日外國人のリピーターが多くなる様、安価な食べもの、安全な食材、２４時間営業の金融機関、ショップ、レストランテーマパーク、カジノ、などなどの人類の夢の実現に
ヲ  世界の方々が、不便のない様、言葉の壁も起らないこと、宗教の壁ものりこえられる、セキリティや不安材料のない様にする
ワ  巨大プランを数ヶ所、造成することで、世界的に不況の脱出を創造し建設后の集客、利用も事細かく創造していく。
(57)【要約】【課題】従来の爪切りは、単に爪を短く切る事を目的にしていた。【解決手段】本発明の爪切りは、上板に形成する爪穴開け用刃、及び下板に形成する貫通穴により、爪に穴を開ける事が可能となり、爪に装飾形状を有せしめる。【選択図】図１
2005111216.tif 000002
【特許請求の範囲】
【請求項１】
上下、相対向するように形成された上板と下板において、上板遊端に爪穴開け用刃を刃面を下に向け形成し、下板遊端には、上記爪穴開け用刃が貫通する大きさで、爪穴開け用刃の外周と同形状の下板貫通穴を形成、上記爪穴開け用刃と下板貫通穴間で爪をカットし、爪に穴を開ける事を特徴とした爪切り。
【請求項２】
前記下板上に爪の位置決め用の突条を形成、爪を同位置決め用突条に当てる事により、爪端部から穴までの位置を容易に決定する事を特徴とした爪切り。
【発明の詳細な説明】
【技術分野】
【０００１】本発明は、爪切り、特に爪に穴を開け、装飾的形状を有せしめるようカットする事が可能な穴開け用爪切りに関するものである。
【背景技術】
【０００２】従来、爪の切りカスの処理を容易ならしめた爪切りは知られている（特許文献１）。
【特許文献１】  特開２００２−３４５５４６号公報。
【発明の開示】
【発明が解決しようとする課題】
【０００３】然しながら、このような従来知られている爪切りの切り刃では、爪に穴を開ける装飾形状を形成することは出来なかった。【０００４】また、錐等その他手段により爪に穴を開ける事は可能であったが、間違えて指を刺してしまう等の危険性もあった。【０００５】本発明は、上記の欠点を除くようにしたものである。
【課題を解決するための手段】
【０００６】本発明の爪切りは、上下、相対向するように形成された上板と下板において、上板遊端に爪穴開け用刃を刃面を下に向け形成し、下板遊端には、上記爪穴開け用刃が貫通する大きさで、爪穴開け用刃の外周と同形状の下板貫通穴を形成、上記爪穴開け用刃と下板貫通穴間で爪をカットし、爪に穴を開ける事を特徴とする。【０００７】また、爪の位置決め用突条を形成する事により、より正確に、また安全に爪の穴開け位置が決定される事を特徴とする。
【発明の効果】
【０００８】本発明の爪切りによれば、爪に極めて容易に且つ安全に穴を開け、装飾形状を有せしめる事が出来るようになる。
【発明を実施するための最良の形態】
【０００９】以下図面によって本発明の実施例を説明する。
【実施例１】
【００１０】図１及び図２において、１は上板、２は下板、３は１の遊端に形成した爪穴開け用刃、４は３の爪穴開け用刃に相対した下板貫通穴、５は爪の位置決め用突条、６は指当て部、７は上記下板２から上記上板１を貫通して突出せしめた突設ピン、８はこの突設ピン７の上部にその基部を枢支せしめたＬ型操作レバーである。【００１１】本発明においては、図１に示すように、上記爪穴開け用刃３を、円形の形状とし、上記下板貫通穴４も、爪穴開け用刃３の外周部と同形状の円形で、３が貫通出来る大きさとする。【００１２】上記の爪穴開け用刃３、及び下板貫通穴４の形状、及び大きさは任意で良く、また、その数も夫々異なるようにしても良い。【００１３】本発明の実施例によれば、この爪切りによって爪に穴を開けた場合、爪の端部に装飾性を付与出来るようになる。
【実施例２】
【００１４】本発明の他の実施例においては、図３に示すように上記爪穴開け用刃３を複数設置する（Ａ）、ハート型にする（Ｂ）、三日月型にする（Ｃ）、星型にする（Ｄ）等、任意の形状、及び数量とし、下板貫通穴４もこれに合致した形状、及び数量ならしめる。
【図面の簡単な説明】
【００１５】
【図１】本発明の爪切りの斜視図である。
【図２】図１に示す爪切りの側面図である。
【図３】（Ａ）、（Ｂ）、（Ｃ）、（Ｄ）は本発明の他の実施例における図１のＡ−Ａ線拡大図面である。
【符号の説明】
【００１６】１  上板
２  下板
３  爪穴開け用刃
４  下板貫通穴
５  爪の位置決め用突条
６  指当て部
７  突設ピン
８  Ｌ型操作レバー
【図１】
2005111216.tif 000003
【図２】
2005111216.tif 000004
【図３】
2005111216.tif 000005
(57)【要約】【課題】従来の介護用おむつが被介護者により簡単にはずされるための不都合を解決する。【解決手段】おむつ装着用留め具の位置を被介護者の手の届きにくい脇腹から背中側に配置する。また、おむつの取り外しの目的にのみ使用される部分は操作上支障のない範囲で出来うる限りで小型化する。【選択図】  図２
2005111212.tif 000002
【特許請求の範囲】
【請求項１】
装着用のテープなどを脇腹から背中側で貼付するように配置した介護用おむつ。
【請求項２】
介護者がおむつを取り外す場合に支障のない限り面積を少なくし、且つ、被介護者には引き剥がし困難な形状にした介護用おむつの装着用テープの末端の形状。
【発明の詳細な説明】
【発明の詳細な説明】
【技術分野】
【０００１】  介護用おむつに関するもの。
【背景技術】
【０００２】  従来の介護用おむつは装着用テープを腹側で貼付している。そのため被介護者が取り外そうとすると簡単に引き剥がされてしまう。
おむつを剥がす癖のある被介護者に対しては、拘束用ベルト、鍵付きおむつカバー等で対応している。このような対策では被介護者に対してかなり精神的な負担を与える。
また、介護する側にとっても何となく罪悪感があり、使用を躊躇ったためにかえって被介護者を不衛生な状態にしてしまう場合もかなりある。
【発明が解決しようとする課題】
【０００３】  本発明は、従来の介護用おむつが被介護者により簡単にはずされるための不都合を解決することを目的とする。
【課題を解決するための手段】
【０００４】  一般に人は腹側では手が自由に使えるが、脇より背中側に行くほど不自由になる。更に、背中の真ん中に近く、且つ、高い位置になるほど手が届き難くなる。
このことに着目し、おむつ装着用留め具の位置を被介護者の手が届きにくい脇腹から背中側に配置する。また、ある程度痴呆の進んだ人は、小さいものを摘むことが困難であることを考えて、おむつの取り外しの目的にのみ使用される部分は操作上支障のない範囲で出来うる限り小型化する。例えばおむつの取り外し時に使用する装着用テープの末端の舌片５を介護者の支障のない限り面積の少ない形状にする。
【実施例】
【０００５】  （図１）は前記実施例の内側面の図、（図２）は前記実施例の外側面の図を示す。
おむつの装着方法は現在一般に出回っているものと大体同じであるが、装着用テープ１を装着用テープ受け面４に装着するとき、被介護者を横臥させると装着しやすくなる。
【発明の効果】
【０００６】  本発明は以上説明したような形状なので、以下のような効果がある。
装着用テープを脇腹から背中側で貼付しているため、それを引きちぎるなどしない限りおむつをはずす癖のある被介護者におむつを取り外される事がほとんどない。
装着用テープ受け面が脇腹から背中側にしてあるために、被介護者が爪などでひっかき破ることもかなり少なくなる。
その結果、体格におむつの寸法がよく一致していれば、被介護者がおむつの中に手を入れることなども困難になる。したがって、従来の技術の項で説明したような不都合のある拘束用ベルト、鍵付きおむつカバー等を使わなくて済むようになる。
【図面の簡単な説明】
【図１】  実施例の内側面を示した図
【図２】  実施例の外側面を示した図
【図３】  従来型の内側面を示した図
【符号の説明】
１  装着用テープ          ２  外側カバー                ３  吸水材
４  装着用テープ受け面    ５  装着用テープの末端の舌片
【図１】
2005111212.tif 000003
【図２】
2005111212.tif 000004
【図３】
2005111212.tif 000005
(57)【要約】【課題】  洗濯物の内側の表と裏の間に空間を設けるための洗濯用ハンガ−を提供する。【解決手段】  これらを解決するために、ハンガ−本体（１）に可動が可能な弧状等の回転部（２）を設けたものである。【選択図】    図２
2005111217.tif 000002
【特許請求の範囲】
【請求項１】
ハンガ−本体に自在に可動が可能な弧状等の回転部を設けた洗濯用ハンガ−。
【発明の詳細な説明】
【技術分野】
【０００１】  本発明は、ハンガ−本体に自在に可動する回転部を設け、洗濯物の内側の表と裏に空間を設けるための洗濯用ハンガ−に関するものである。
【背景技術】
【０００２】  従来、風でハンガ−及び洗濯物が飛ばされないよう工夫された洗濯用ハンガ−はいろいろあったが、洗濯物に空間を設け乾燥を早めるものはなかった。
【発明の開示】
【発明が解決しようとする課題】
【０００３】  そのため、冬場や梅雨の時期などには乾きが悪く改善が求められていた。また、厚手の衣類やズボンなどは、より乾きが早いハンガ−が求められていた。本発明はこれらの問題点を解決するためになされたものである。【０００４】  本発明は、自在な角度で凸部となる回転部を設けたことを特徴とする洗濯用ハンガ−である。このハンガ−は洗濯物の内側の表と裏の間に任意の空間を作り出すことのできる構造であり、シャツの脇の下や衣類全体の風通しをよくして乾燥を早めるなどの利点を有した洗濯用ハンガ−を提供することを目的としている。
【課題を解決するための手段】
【０００５】  上記の目的を達成するために、本発明のハンガ−においては、ハンガ−本体傾斜部、下端湾曲部に弧状の回転部を設けたものである。また、傾斜部の任意の位置に回転部を設けることも目的を達成できる。【０００６】  また、この回転部は回転部の設置位置により回転角度はある程度決まってくるが、最大３６０度の回転が可能であり、任意の角度で止めて、洗濯物の内側に空間を設けるような構造としたものである。
【発明を実施するための最良の形態】
【０００７】  発明の実施の形態を必要に応じ図面を用いて実施例を説明する。図２においてハンガ−本体（１）の傾斜部、下端湾曲部に３６０度回転可能な回転部（２）を設けたものである。この回転部は自在な角度で止めることが可能である。【０００８】  図４において、ハンガ−本体（１）の下端の横棒（３）に回転部（２）を設けたものである。【０００９】  図２において、回転部（２）を２本設けるものである。【００１０】  図４において、横棒（３）に回転部（２）を２本設けるものである。【００１１】  また、ハンガ−本体（１）の傾斜部の任意の位置に回転部（２）を設けるものである。
【発明の効果】
【００１２】  本発明は、上記で説明したように構成されているので、次に記載されるような効果を発揮する。
【００１３】  回転部が３６０度回転可能であることから、必要な角度で止めることにより、衣類の表裏に適切な空間を作りだせるので乾燥が早い。
【００１４】  また、図２のように回転部（２）をハンガ−本体（１）に内接した状態で、丸首シャツ等を干すとき、首回りを無理に広げることなく干すことが可能である。
【００１５】  さらに、回転部（２）を２本設けることにより、ハンガ−本体（１）を中心として円形を形成することが可能であり、ズボン等を干すのに最適である。また、洗濯物の型くずれを少なくすることができる。このように、多大な効果を発揮する洗濯用ハンガ−である。
【図面の簡単な説明】
【００１６】
【図１】平面図
【図２】ハンガー本体に回転部が内接した状態の正面図
【図３】底面図
【図４】右側面図
【図５】ハンガ−本体の下端横棒に回転部を設けた正面図
【符号の説明】
【００１７】      １  ハンガ−本体
２  回転部
３  横棒
【図１】
2005111217.tif 000003
【図２】
2005111217.tif 000004
【図３】
2005111217.tif 000005
【図４】
2005111217.tif 000006
【図５】
2005111217.tif 000007
(57)【要約】【課題】  机上の不要なノートパソコン他事務用品、書類等を収納又は仮置きする場所を確保し、机上をより広く使用して、快適で能率的なデスクワークの環境を提供する。【解決手段】  机上載置用本立ての底板（２）の下部に、収納用スペース（３）を確保した事を特徴とする。【選択図】  図１
2005111219.tif 000002
【特許請求の範囲】
【請求項１】
机上載置用本立て底板の下部に、物品の収納スペースを確保した本立て。
【発明の詳細な説明】
【技術分野】
【０００１】  この発明は、本立ての底部を上げて底板の下部に、ノートパソコン、其の他机上で使用する事務用品等を収納するスペースを確保した本立てである。
【背景技術】
【０００２】  従来の机上載置式の本立ては、机天板の上に直置きで、その下部は利用出来なかった。
【発明の開示】
【発明が解決しようとする課題】
【０００３】  従来品は、机上に載置したらその本立てを設置した場所は他の用途に使用出来ず、デスクワークでノートパソコン等を使う作業が終わり、他の作業をする時、ノートパソコンの置場がなく、残された大変狭い机上での作業をする事になり、仕事もし辛く非能率的であった。本発明はこれらの欠点を解決するために発明されたものである。
【課題を解決するための手段】
【０００４】  机上載置の本立ての底板を机上面より上げて、本立て底板の下部に物品収納用のスペースを確保した本立てである。
【発明の効果】
【０００５】  本発明を使用する事により、デスクワークで一時不要になったノートパソコンや事務用品などを、収納又は仮置きして、机上をより広く使用出来て、快適に能率的なデスクワークが出来る。
【発明を実施するための最良の形態】
【０００６】  以下、実施の形態について説明する。
（イ）机の天板面（１）と、本立ての底板（２）の下端面までの空き（３）を、ノートパソコン等を収納出来る様に空間をとる。
（ロ）本立て底板（２）の天端に、ストッパー用欠き込み付長溝（４）を設ける。
（ハ）長溝（４）に、着脱及び位置変更自在のブックエンド（５）を取り付ける。又は、底板（２）の天端に側板及び背板を取り付ける事も可能である。
本発明は、以上の様な構造の机上載置用本立てで、デスクワークで使用する一時不要になったノートパソコン其の他事務用品を本立て下部に確保した収納スペースに収納又は、仮置きする事により机上の作業スペースをより広くして、机上での効率良い作業が出来る。
【図面の簡単な説明】
【０００７】
【図１】本発明の斜視図
【符号の説明】
【０００８】１  机の天板面
２  本立て底板
３  収納スペース
４  ブックエンド取付用長構
５  ブックエンド
【図１】
2005111219.tif 000003
(57)【要約】      （修正有） 【課題】一枚のネットが伸縮可能な衣類収納洗濯ネットを提供する。【解決手段】一枚のネットの１・２・３・４の部分にファスナーを設け、内部に折り込むことにより２重ネットと変化する。そして、２又は３と中間部の２箇所にファスナーを設けることにより、２重ネットのサイズも変更できる。２重ネットとして使用した際の出し入れ口を２箇所にするために、４にもファスナーを設けた。そうすることにより、２又は３と４の箇所が出し入れ口として使用できる。【選択図】図１
2005111218.tif 000002
【特許請求の範囲】
【請求項１】
通水性の良い網状ネットの数箇所にファスナーを設けることにより、１枚のネットが伸縮可能でサイズ変更が出来る重複ネットになる。
カラーバリエーションを持つことにより、デザイン性に優れ、使用アイテムや目的により識別・区別が出来る衣類収納洗濯ネット
【請求項２】
通水性の良い網状ネットの上部・下部・中間部の数箇所にファスナーを設けることにより、１枚のネットが伸縮可能で数サイズに変更が出来る重複ネットになる。
何色かのカラーバリエーションを持つことにより、デザイン性にも優れ、使用アイテムや目的により識別・区別が出来る衣類収納洗濯ネット
【発明の詳細な説明】
【技術分野】
【０００１】      本発明は、１枚のネットの数箇所にファスナーを設けることにより、伸縮するサイズ変更可能な衣類収納洗濯ネットとなる
【背景技術】
【０００２】    従来の洗濯ネットには、複数の入れ口が付いている物や、仕切りが付いている物がある。
【発明が解決しようとする課題】
【０００３】１枚のネットの複数箇所にファスナーを設ける事により、伸縮可能な重複型の洗濯ネットとなり、衣類収納ネットとしても使用できる。
尚且つ重複ネットのサイズも２分の１・３分の１・３分の２・３分の３の４つのサイズ変更ができ、１枚のネットで洗濯物の量やその種類により使い分けが出来る。
【発明が解決しようとする課題】
【０００４】１枚のネットの上部・下部・外側中間部２箇所にファスナーを設けることにより、２分の１・３分の１・３分の２・３分の３のサイズの重複ネットになり、１枚のネットによるサイズ変更が可能となった。
【課題を解決した結果】
【０００５】洗濯物の量やその種類によって、１枚のネットでのサイズ変更に対応し、尚且つカラーバリエーションを持たせることにより、アイテム別・使用目的別での識別・区別が可能なデザイン性にも優れた衣類収納ネットとしても使用できる。
下部にファスナーを設けることにより、重複ネットとして使用した際に、１つ目の袋は上部から、２つ目の袋は下部からと、それぞれに出し入れ口が設けられ物の出し入れがスムーズに行える。
【分野】
【０００６】本発明は、生活用品の洗濯ネットに属するものであり、１枚のネットがサイズ変更可能な伸縮可能な重複ネットとして利用できる。
高齢化社会になった現代のニーズとして、介護サービスの一環として介護用クリーニングが定着しつつある。本発明はクリーニング・リネンサプライなどの業種での利用価値としては十分な可能性を見出した。
例えば、患者様にお貸しする際は重複ネット（２分の１＋２分の１の２重袋、又は、３分の１＋３分の２の２重袋）の状態でお貸しする。
洗濯物の投入を３分の１又は、２分の１のサイズのネットに使用して頂き、工場内での加工の際には重複の状態を１枚の状態に広げることにより、ネットの内部に新たな空間が生まれ、今までの課題となっていた、ネット内への過剰投入により汚れ落ちの減少、乾燥時の時間超過などの様々な問題も解決できる。
尚且つ、カラーバリエーションを取り入れることにより、お客様別・目的別などの識別・区別も可能となる。
【背景技術】
【０００７】従来のネットは、１枚のネットその物の大きさの変更や、１枚のネットからの重複ネットへの変更は出来なかった。
【発明が解決しようとする問題】
【０００８】洗濯物の量やその種類、その他の使用目的（衣類収納など）によって、各々のネットを使用しなければならない。それに、ネットに洗濯物を多く詰めた状態では、汚れも十分に落とす事が出来ず、乾燥機使用時もなかなか乾かないと言う問題もある。
１枚のネットにファスナーを設けることにより、伸縮可能なサイズ変更可能ネットとして使用でき、重複の状態を１枚のネットに拡大する事により、内部空間が生まれ、汚れ落ちも良く乾きやすい状態を作る事が可能になった。
【実施例】
【０００９】▲１▼を▲２▼まで内部に折り込むことにより、３分の１と３分の２サイズの２重ネットになる。
▲１▼を▲３▼まで内部に折り込むことにより、２分の１と２分の１サイズの２重ネットになる。
上記の状態にした場合の出し入れ口は、下部▲４▼と▲２▼又は▲３▼の箇所になる。
【図面の簡単な説明】
【００１０】
【図１】平面図
【図２】平面図
【図３】平面図
【図１】
2005111218.tif 000003
【図２】
2005111218.tif 000004
【図３】
2005111218.tif 000005
(57)【要約】【課題】ペットの衣服や子供服などを首回りから簡単に取り外しが出来るハンガーを提供する。【解決手段】  肩受部及び衿受部が弾力性のあるワイヤーロープ又は弾力性のあるプラスチックなどで出来ており、その肩受部と襟受部は任意の角度をもった折れ曲があり、襟受部を曲げる事により事により左右の肩受部の端の距離が自在に可変できるハンガー。【選択図】  図１
2005111213.tif 000002
【特許請求の範囲】
【請求項１】
襟受部及び肩受部がワイヤーロープまたは弾力性のあるプラスチックから成るハンガー
【請求項２】
襟受部と肩受部が任意の角度を持って接続されているハンガー
【発明の詳細な説明】
【発明の詳細な説明】
【技術分野】
【０００１】この発明は、洋服の衿回り部分から簡単に出し入れが出来ることを特長としたハンガーである。
【背景技術】
【０００２】従来は、木製やプラスチック製で出来ており、形が固定であり衿回りが小さい洋服などを掛けるときは洋服の裾部分からハンガーを出し入れしなくてはならないので面倒であった。
【発明が解決しようとする課題】
【０００３】（イ）  洋服からの取り外しが面倒であった。
（ロ）  ペット用洋服のような特殊な体型の衣服には形状が合っていなかった。
本発明は、これらの欠点を除くためになされたものである。
【課題を解決するための手段】
【０００４】衿受部と肩受部が弾力性のあるワイヤーロープ又は弾力性のあるプラスチックなどで出来ており、その衿受部と肩受部は任意の角度を持った折れ曲がり曲線になっていて、図２、図３にあるＡ点とＢ点に外側から力を加える事によりＣ点とＤ点の間隔が狭まり、衿口からの出し入れを容易にするハンガー
【発明を実施するための最良の形態】
【０００５】以下、本発明の実施の形態について説明する。
図１に於いて、棒状の弾力性のあるワイヤーロープ（２）に何ヶ所かに滑り止めのゴム製のリング（５）をつけ、それぞれ両方の肩受部（７）及び（８）が衿受部（６）と上方向の角度を持った折り曲げになって、その肩受部（７）及び（８）にはコルクや木材またはプラスチックなどで作られた補強材（３）と結合されている。
【発明の効果】
【０００６】ペットの洋服の形状からして、弾力性に飛んだワイヤーロープは洋服をつるした時に、洋服の重さでその形状がペットの洋服の形状に沿った状態に変化し、また少しの力でワイヤーロープ右端と左端の間隔を縮ませることが出来るので、小さな服などは衿口からハンガーの取り外しが簡単である。
【図面の簡単な説明】
【図１】本発明の器具１の全体図である。
【図２】本発明の洋服をつるした状態の図である。
【図３】本発明の首回り部分から挿入する時の図である。
【符号の説明】
１フック
２ワイヤーロープ
３補強材
４フック接続リング
５滑り止めゴムリング
６衿受部
７肩受部
８肩受部
【図１】
2005111213.tif 000003
【図２】
2005111213.tif 000004
【図３】
2005111213.tif 000005